(57)【要約】【課題】病人あるいは足腰の不自由な人が、ベッドに腰掛けた姿勢から、立ち上がることなく、向きも変えずに一人で便座の上に移り、また用便後も一人で安全にベッドに帰ることができる便器の開発。【解決手段】便座後部に長く突き出して取り付けた滑り板の助けにより、ベッドに腰掛けた身障者がそのままの姿勢で前に移動して騎乗できる構造の便器を台車上に取り付けた騎乗式ポータブルトイレを用意する。これにより病人や身障者が、腰を上げず向きも変えず、楽に安全に用を足すことができる。【選択図】  図１
2004154484.tif 000002
【特許請求の範囲】
【請求項１】
従来便座後部にあった便座およびそのカバーのはね上げ支持構造や洗浄用機能部品、給水タンク等を便座前部に移し、便座後部を便座中央部と同じ高さに保って同じ高さの滑り板を付加した騎乗式便器。
【請求項２】
高さ調節機構、移動停止機構および手摺を備えた台車上に騎乗式便器を取り付けたポータブルトイレ。
【発明の詳細な説明】
【０００１】
【発明の属する技術分野】
ベッドに腰掛けた病人や足腰の不自由な人が、手摺を持って楽々と引き寄せ、立ち上がることなく便座に騎乗して用を足し、用便後は後退してベッドに戻ることのできる騎乗式ポータブルトイレの構造に関する。
【０００２】
【従来の技術】
腰を上げることの困難な病人、身障者にとって、用便の困難性の克服は日々の生活上最も重要な問題である。しかし、譬えポータブルトイレで用を足す場合でも一旦立ち上がってから腰の向きを変えて便座上に着座する必要があり、ベッドに戻る際も同様である。また車椅子に乗ってトイレに行き用便してベッドに戻るまでには、立ち上がって向きを変えて腰を下ろす動作が都合４回必要であり、一人でできない場合にはこれらがすべて介助者の負担になっている。この間の転倒事故も後を断たない。身障者の用便の容易化、安全化に対する要望は極めて強いにもかかわらず解決されていない。
【０００３】
【発明が解決しようとする課題】
病人あるいは足腰の不自由な人が介助者に負担をかけず、できれば身障者自身で困難なく用便することを可能にする便器、およびそれに関連する装置、技術の開発。
【０００４】
【課題を解決するための手段】
病人あるいは足腰の不自由な人の用便に関する困難を安全に克服するためには、腰を上げたり体の向きを変えたりすることなく、ベッドに腰掛けた姿勢のまま、便座に移乗したり逆に便座からベッドに戻ったりできることが必要である。このため障害物を除いた便座の後縁に滑り板を付加し、後ろから便座に跨る形で前向きに移乗できる騎乗式の便器をベッドと同じ高さに用意する。用便後は跨った姿勢のまま後退すればベッドに腰掛けた状態に戻ることができる。
【０００５】
便器を取り付ける台車には、台車の高さの調節機能と台車を停止させる機能を持たせ、身障者の乗降を安全容易にするための手摺も取り付ける。台車の高さ調節は、台車へのキャスタの取り付け部分で行う。台車の停止機能は、台車に取り付けた手摺を身障者が押えると、接地脚が床を押して台車が動かなくなる直接的な構造とする。
【０００６】
従来型から騎乗式への改変は、簡単なポータブルトイレ形式のものから臀部洗浄型、水洗式まですべてのタイプの便器で可能であるが、これを実現するには各タイプ便器の構造の変更、関連する設備の設置が必要となる。
【０００７】
【発明の実施の形態】
現在用いられている各種便器の構造、便座の形等はこれまでに積み重ねられてきた研究の成果であって、騎乗式への変更に当たってもこれらの成果を尊重した形で実行しなければならない。従って便座の形はやや細型にしたいが大きい変更は加えず、便座に跨った姿勢で後方から移乗できるように、従来後部についている便座の蓋、便座を上げ下げするための支点、臀部洗浄用機能部品、水洗用タンクなどはすべて便座前部に移す。ただし騎乗者の膝に触らないよう、関節部の横幅はできるだけ小さくする。また便座の蓋を上げるとその裏側が騎乗者の目に入るので、二つあるいは三つ折れ型にするとよい。
【０００８】
図１は騎乗式ポータブルトイレの側面とベッド上のマット、敷布団の断面を示した図である。ベッドから便座へ、また便座からベッドへの移動を容易にするために、図１に見られるように便座の後部は中央部と同じ高さに保ち、薄い滑り板を便座の後縁から後方に突き出して取り付ける。滑り板はある程度弾性がある方がよく、便座と一体的に作ってもよい。図２は図１に示した騎乗式トイレの平面図で薄板の形状の例が見られる。ベッドの敷布団の上に腰掛けた身障者が手摺を引き寄せて、滑り板を敷布団の上で股下に敷きこみ、さらに手摺の前部を持って引っ張ると、腰を上げず方向も変えずに滑り板上を滑る形で容易に便座の上に乗り移ることができる。用便後ベッドに戻るときも、手摺を押えながら後ろに腰を滑らすだけでベッドに帰ることができる。この際手摺を押えることで台車の位置が固定され、滑り板によって敷布団がめくれることなく楽に安全にベッドに戻ることができる。
【０００９】
ベッドから便座へ、またその逆の移動に腕の力を利用することは、足腰の不自由な人にとって特に重要である。騎乗式トイレに、図１に見られるような手摺を取り付けることにより、台車に乗ったトイレを引き寄せ、また手摺を押え腰を浮かせて便座上に移動することが可能となる。図１の例では手摺の前方支柱は固定、後方支柱はばねで支えられていて脚部が床から離れているが、手摺を押えると脚部が接地して台車が動かなくなり、安全に腰を移動させることができる構造となっている。また看護者がトイレの洗浄、給水の補給等のために可動台ごと移動する際に使用するハンドルも、手摺の延長として用意する。
【００１０】
台車上面の高さは、ベッドのマット上に敷いた敷布団上面の病室床面からの高さと便器自身の便座上面の高さとの差で決めなければならないので、ある範囲内で調節できるよう、キャスタの台車への取り付け方法を考慮する。キャスタの高さを変えたときには、手摺の接地脚の長さも同時に調整する。
【００１１】
用便後の汚水の臭気を消すあるいは防ぐことは極めて大切である。図１および図２の例では、水洗式をモデルにしており、臀部洗浄機能部品は描かれていない。これを加える場合や便座を暖める場合は１００Ｖの電源に接続する。水洗，臀部洗浄のいずれの場合でも、排水は一旦便器の下部に蓄える必要があるので、便器の構造を新しく考案する必要がある。市販されているポータブルトイレ、ポータポッティ３４５Ｅなどは有力な参考資料となる。
【００１２】
【実施例】
騎乗式ポータブルトイレを使用して、腰をあげず、向きを変えずに便座に移乗できたとしても、用便するには下着を下ろす必要がある。このため寝巻きとしては下の開けるもの、下着としては、股割れパンツ、産褥ショーツのように、立ち上がらなくても用便できるものを使用することが望ましい。
【００１３】
水洗式あるいは臀部洗浄式ポータブルトイレを利用する場合、汚水の処理をする排水口をフロア毎に少なくとも１個所設けることが必要である。排水口は床面から数ｃｍの高さの囲いをつけるに止め、台車底面からの排水を完全に流せるようにすることが求められる。
【００１４】
騎乗式ポータブルトイレを利用する人にとって、周囲の目はできるだけ避けたいものである。このため台車上に前部と両横を通して１３０  ｃｍ程度以上の高さにカーテンレールを付け、これにカーテンを吊るすと人目を避けて用便を済ますことができる。
【００１５】
【発明の効果】
便器の後ろ側から前向きに騎乗することにより、足腰の不自由な人でも、腰を上げる、向きを変えるという二つの困難な動作をせずに、一人で安全に用を足すことができる。
【００１６】
したがって身障者の転倒事故を大幅に減らすことが出来る。
【００１７】
ここで提案する騎乗式ポータブルトイレは、台車の上に騎乗式便器を乗せることにより身障者自身で操作して用を足すことができる点で、従来のポータブルトイレとは比較にならぬ程、介護の手数、労力を減らすのに役立つ。
【００１８】
台車の上に載せることにより、容易に移動して排水、洗浄などができ、看護人の労力軽減にも大変大きい効果をもたらす。
【図面の簡単な説明】
【図１】騎乗式ポータブルトイレの側面とベッド上のマット、敷布団の断面を示した図である。
【図２】図１の騎乗式ポータブルトイレの平面図である。
【符号の説明】
（１）  便座
（２）  便器
（３）  滑り板
（４）  台車
（５）  手摺
（６）  手摺前支柱
（７）  手摺後ろ支柱
（８）  接地脚
（９）  キャスタ
（１０）  便座の蓋
（１１）  給水タンク
（１２）  給水口
（１３）  ハンドル
（１４）  操作パネル
（１５）  排水ホース
（１６）  敷布団
（１７）  マット
（１８）  ベッド
【図１】
2004154484.tif 000003
【図２】
2004154484.tif 000004